(57)【要約】  本明細書に提供されるのは、患者の眼を治療するためのプローブである。１つ又は複数の実施形態において、プローブは、本体と、本体から延びる主管腔を有する管状要素とを含み、管状要素は遠位端を備える。プローブはさらに、主管腔内に可視化光ファイバを含み、可視化光ファイバは、可視化光ファイバに接続された複数の光源の少なくとも１つによって提供される照明を放出するように適合される。いくつかの実施形態では、プローブはさらに、複数の光源で動作可能な光学スイッチングシステム（例えば時分割多重装置）を含み、光学スイッチングシステムは複数の光源のそれぞれを独立して制御するように適合されている。異なる手術光源間の時分割多重化を提供することによって、同じ光路を介した準同時照明送達を達成することができる。
2021509611.tif 000002
【特許請求の範囲】
【請求項１】
本体と、
前記本体から延びる主管腔を有する管状要素と、
前記主管腔内の可視化光ファイバとを備え、前記可視化光ファイバは、前記可視化光ファイバと共に動作可能な複数の光源の少なくとも１つによって提供される照明を放出するように適合される、
患者の眼を治療するためのプローブ。
【請求項２】
前記複数の光源で動作可能な光学スイッチングシステムをさらに備える、請求項１に記載のプローブ。
【請求項３】
前記光学スイッチングシステムは前記複数の光源のそれぞれを独立して制御する、請求項２に記載のプローブ。
【請求項４】
前記光学スイッチングシステムは時分割多重装置である、請求項２に記載のプローブ。
【請求項５】
前記時分割多重装置は、前記複数の光源のそれぞれの間のスイッチングのための１つ又は複数の微小電気機械システムを含む、請求項４に記載のプローブ。
【請求項６】
前記光学スイッチングシステムは、ランダムスイッチング周波数に従って前記複数の光源のそれぞれをアクティブ化及び非アクティブ化する、請求項２に記載のプローブ。
【請求項７】
前記ランダムスイッチング周波数は所定のビデオリフレッシュ速度を超える、請求項６に記載のプローブ。
【請求項８】
前記複数の光源のそれぞれは異なる照明特徴を備える、請求項１に記載のプローブ。
【請求項９】
前記照明特徴は、波長、強度及び発散の少なくとも１つを備える、請求項８に記載のプローブ。
【請求項１０】
前記主管腔内の光学処置ファイバをさらに備え、前記光学処置ファイバはレーザビームを投射する、請求項１に記載のプローブ。
【請求項１１】
プローブであって、
本体、
前記本体から延びる主管腔を有し、遠位端を備える管状要素、及び
前記主管腔内の単一の可視化光ファイバであって、前記管状要素の前記遠位端から照明を放出するように適合され、前記照明は前記単一の可視化光ファイバに接続された複数の光源の１つによって提供される、単一の可視化光ファイバ、
を備えるプローブと、
前記複数の光源で動作可能な光学スイッチングシステムであって、前記複数の光源のそれぞれを独立して制御するように適合される光学スイッチングシステムと
を備えるプローブシステム。
【請求項１２】
前記光学スイッチングシステムは時分割多重装置である、請求項１１に記載のプローブシステム。
【請求項１３】
前記時分割多重装置は、前記複数の光源のそれぞれの間のスイッチングのための１つ又は複数の微小電気機械システムを含む、請求項１２に記載のプローブシステム。
【請求項１４】
前記光学スイッチングシステムは、ランダムスイッチング周波数に従って前記複数の光源のそれぞれをアクティブ化又は非アクティブ化する、請求項１１に記載のプローブシステム。
【請求項１５】
前記複数の光源のそれぞれは異なる照明特徴を備え、前記照明特徴は波長、強度及び発散の少なくとも１つを備える、請求項１１に記載のプローブシステム。
【発明の詳細な説明】
【技術分野】
【０００１】
本出願は、米国仮特許出願第６２／６１３，８１３号（表題“ＭＵＬＴＩＰＬＥ  ＩＬＬＵＭＩＮＡＴＩＯＮ  ＴＲＡＮＳＭＩＳＳＩＯＮ  ＴＨＲＯＵＧＨ  ＯＰＴＩＣＡＬ  ＦＩＢＥＲ（光ファイバを介した多重照明伝送）”、出願日２０１８年１月５日、発明者Ｍａｒｋ  Ｈａｒｒｉｓｏｎ  Ｆａｒｌｅｙ）の優先権の利益を主張する。これによりこの仮特許出願は十分且つ完全に本明細書に記載されているかのように完全な形で参照により組み込まれる。
【０００２】
本開示は、医療処置において使用するためのシステム及び機器に関し、より具体的には、照明の伝送が可能なシステム及び機器に関する。
【背景技術】
【０００３】
顕微手術器具は、典型的には、外科医によって様々な処置のために使用される。例えば、眼科手術において、顕微手術器具は、繊細で制限された空間から組織を除去するために使用され得る。顕微手術器具は、例えば、硝子体、血液、瘢痕組織、又は水晶体の除去のための処置で使用され得る。そのような器具は、制御コンソールと、外科医が組織を切開及び除去する外科用ハンドピースとを含み得る。後眼部手術に関して、ハンドピースは、硝子体カッタープローブ、レーザプローブ、照明プローブ、及び／又は組織を切断又は断片化するための超音波断片化装置であり得る。ハンドピースは、長い空気圧（空圧）ライン及び／又は電力ケーブル、光ケーブル、又は輸液を手術部位に供給するための、及び手術部位から流体及び切断／断片化された組織を引き抜く又は吸引するための柔軟チューブによって制御コンソールに接続され得る。ハンドピースの切断、注入、吸引機能は、手術用ハンドピース（例えば、往復又は回転する切断刃、又は超音波振動針）に電力を供給し、注入流体の流れも制御し、流体及び切断／断片化された組織の吸引用の真空源（大気と比較して）を提供する遠隔制御コンソールによって制御され得る。コンソールの機能は、通常は足で操作するスイッチ又は比例制御によって、外科医によって手動で制御され得る。
【０００４】
顕微手術器具はまた、硝子体網膜手術中に使用される場合があり、これは通常、人間の眼の後眼房内で行われ、眼の後部の様々な状態を治療する。特に、硝子体網膜手術は、加齢性黄斑変性症（ＡＭＤ）、糖尿病性網膜症及び糖尿病性硝子体出血、黄斑円孔、網膜剥離、網膜上膜、サイトメガロウイルス（ＣＭＶ）網膜炎、及び他の多くの眼の症状などの症状を治療し得る。
【０００５】
光源ごとに別個の光ファイバ及び／又はコヒーレントレーザ送達ごとに別個の光ファイバを利用する、従来技術の照明レーザプローブの様々な構成が開発されてきた。いくつかの従来技術の外科的処置は、照明用の非コヒーレント光の送達に第１の光ファイバを使用し、組織の外科的治療用のコヒーレントレーザビーム光の送達に第１の光ファイバとは別個の第２の光ファイバを使用する。そのようなプローブの構成では、照明ファイバのグループは、共通の針管腔の内側に並んで配置される。しかしながら、この従来技術の技術は、眼又は他の構造に複数の照明源及びレーザ治療光を導入するために、より大きな切開、又は複数の切開を必要とし、それにより手術部位により大きな外傷をもたらす。したがって、既存のプローブを改善することが望ましい。
【発明の概要】
【課題を解決するための手段】
【０００６】
本開示の１つ又は複数の実施形態は、患者の眼を治療するためのプローブを含み得る。プローブは、本体と、本体から延びる主管腔を有する針などの管状要素とを含み得る。プローブはさらに、主管腔内に可視化光ファイバを含むことができ、可視化光ファイバは、可視化光ファイバと共に動作可能な複数の光源の少なくとも１つによって提供される照明を放出するように適合される。
【０００７】
本開示の１つ又は複数の実施形態は、プローブを含むプローブシステムを含み得、プローブは、本体と、本体から延びる主管腔を有する管状要素とを含む。管状要素は、遠位端を含み得る。プローブは、主管腔内に単一の可視化光ファイバをさらに含み得る。単一の可視化光ファイバは、管状要素の遠位端から照明を放出するように適合されてもよく、照明は、可視化光ファイバに接続された複数の光源の１つによって提供される。プローブシステムは、複数の光源で動作可能な光学スイッチングシステムをさらに含み得る。光学スイッチングシステムは、複数の光源のそれぞれを独立して制御するように適合され得る。
【０００８】
本開示の１つ又は複数の実施形態は、複数の光源のそれぞれを単一の可視化光ファイバに接続することを含む照明方法を含み得る。照明方法は、患者の眼にプローブを挿入することをさらに含み得、プローブは、本体と、本体から延びる主管腔を有する管状要素とを含む。管状要素は、患者の眼に挿入される遠位端を含み得る。単一の可視化光ファイバは、主管腔内に配置されてもよい。照明方法は、単一の可視化光ファイバに接続された複数の光源の１つによって提供される照明を放出することをさらに含み得る。複数の光源で動作可能な光学スイッチングシステムは、複数の光源のそれぞれの間のスイッチングを可能にし得る。
【０００９】
本開示の非限定的な実施形態を、概略的であり一定の縮尺で描かれることを意図されていない添付の図面を参照して、例として記載する。図中、図示された同一又はほぼ同一の各構成要素は、通常、単一の数字で表されている。明確にするために、全ての構成要素が全ての図でラベル付けされているわけではなく、また、当業者が本開示を理解できるようにするために例示が必要ではない場合、各実施形態の全ての構成要素が示されるわけでもない。
【図面の簡単な説明】
【００１０】
【図１】図１は、本開示の態様による例示的な手術システムの斜視図を示す。
【図２】図２は、本開示の態様による例示的なプローブの斜視図を示す。
【図３】図３は、本開示の態様による、患者に対して使用中の例示的なプローブの断面図である。
【図４】図４は、本開示の態様によるプローブシステムのブロック図である。
【図５】図５は、本開示の態様による図２のプローブの一部を示す様式化された図である。
【図６Ａ】図６Ａは、本開示の態様による、図２のプローブの一部を示す側断面図である。
【図６Ｂ】図６Ｂは、本開示の態様による、図２のプローブの一部を示す側断面図である。
【図７】図７は、本開示の態様による光学スイッチングシステムを示すブロック図である。
【図８】図８は、本開示の態様による単一ファイバ照明を提供するための説明に役立つ方法を示すフローチャートである。
【発明を実施するための形態】
【００１１】
添付の図面は、以下の詳細な記載を参照することによってより深く理解され得る。
【００１２】
本開示の原理の理解を促す目的で、図面に示された実践形態をここで参照し、特定の言語を使用してそれを記載する。それにもかかわらず、具体的に示されない限り、本開示の範囲の限定は意図されていないことが理解されるであろう。記載された装置、機器、方法に対するあらゆる変更及びさらなる修正、並びに本開示の原理のあらゆるさらなる適用が、本開示が関係する当業者が通常思い付くように十分に考えられる。特に、１つの実践形態に関して記載された特徴、構成要素、及び／又はステップは、本開示の他の実践形態に関して記載された特徴、構成要素、及び／又はステップと組み合わせることができることが十分に考えられる。単純にするために、いくつかの例では、同じ又は同様の部分を指すために、図面全体を通して同じ参照番号が使用されている。
【００１３】
光ファイバと共に使用するための眼科手術用照明装置は、何年にもわたって多くの会社によって製造されてきた。そのような装置の１つは、Ａｌｃｏｎ  Ｒｅｓｅａｒｃｈ  Ｌｔｄ．（６２０１  Ｓｏｕｔｈ  Ｆｒｅｅｗａｙ，Ｆｏｒｔ  Ｗｏｒｔｈ，ＴＸ，７６１３４）によって製造されたＡｃｃｕｒｕｓ（登録商標）手術システムである。本開示は、眼科手術中に単一の可視化／照明光ファイバを介して複数の照明特性を送達できるようにすることにより、既存の装置を改善する。それぞれの異なる光機能又は特性を支援するために１つ又は複数の専用光ファイバを使用する従来技術のシステムとは異なり、本明細書の実施形態は、独立した変調を伴う異なる強度及び波長の狭角及び広角ビームの同じ光ファイバ内の組み合わせを有利に可能にする。複数の光源が同じ光ファイバを共有できるようにすることで、針の直径を低減し、かくして手術部位への外傷を最小限に抑えることができる。多重化された各光源の独立した変調は、時間長分割多重、波長分割多重、電流／電圧制御、偏光制御、及び／又は光減衰など、各光源又は光源の組み合わせに適した方法を使用して達成することができる。
【００１４】
本明細書でより詳細に記載するように、本開示の実施形態は、異なる手術用光源間の時分割多重化を提供して、手術器具内の光ファイバなどの同じ光路を介して準同時送達を達成する。微小電気機械システム（ＭＥＭＳ）又は他の高速スイッチング若しくは変調手段を使用して、光源を交替で使用することができる。ビデオ及び人間のリフレッシュ速度を超えるスイッチング周波数は、異なる機能又は特性を持つ複数の源による同時ライティングの様相を呈することができる。本明細書で記載する方法では、複数の光源を１つ又は複数の多重化された光スイッチを介して組み合わせて、様々な照明特性、例えば、異なる色、強度、発散角を提供することができ、これらの特性は、例えば眼科手術中に様々な組織又は媒体の可視化及び照明を提供するために独立して調整可能であり得る。
【００１５】
これまで、複数の照明特性は眼科手術中に一般的に使用されてこなかった。硝子体の可視化などの新しい適用は、強度と波長が異なる狭角ビームと広角ビームを独立した変調で組み合わせることの価値を実証してきた。したがって、本明細書の実施形態は、硝子体の可視化のための有利な解決策を提供する。
【００１６】
本開示は、患者の眼を治療するためのシステム及び器具を広く対象とする。１つ又は複数の実施形態では、プローブは、本体と、本体から延びる主管腔を有する針などの管状要素とを含み、管状要素は遠位端を含む。プローブは、主管腔内に可視化光ファイバをさらに含み、可視化光ファイバは、可視化光ファイバに接続された複数の光源の少なくとも１つによって提供される照明を放出するように適合されている。いくつかの実施形態では、プローブは、複数の光源で動作可能な光学スイッチングシステム（例えば、時分割多重装置）をさらに含み、光学スイッチングシステムは、複数の光源のそれぞれを独立して制御するように適合される。異なる手術用光源間で時分割多重化を提供することにより、同じ光路を介した準同時照明送達を達成することができる。
【００１７】
図１は、本開示の範囲内の例示的な手術用コンソール（「コンソール」と交換可能に呼ばれる）１０を示す。手術用コンソールは、Ａｌｃｏｎ  Ｌａｂｏｒａｔｏｒｉｅｓ，Ｉｎｃ．（６２０１  Ｓｏｕｔｈ  Ｆｒｅｅｗａｙ，Ｆｏｒｔ  Ｗｏｒｔｈ，ＴＸ，７６１３４）によって製造されたＣｏｎｓｔｅｌｌａｔｉｏｎ（登録商標）手術用コンソールなどの硝子体網膜手術用コンソールであり得る。図示のように、コンソール１０は１つ又は複数のポート２０を含み得、これは、注入及び／又は洗浄液を眼に提供するため、又は眼から物質を吸引するために利用され得る。コンソール１０はまた、コンソール１０の１つ又は複数の動作を確立又は変更するためなど、コンソール１０とインターフェースするためのディスプレイ３０を含み得る。いくつかの例では、ディスプレイ３０は、ディスプレイ３０の画面に触れることによってコンソール１０と対話するための接触感受性画面を含み得る。複数の光源に接続された照明ファイバを含む硝子体切除プローブなどのプローブが、眼組織を切開し、眼組織を眼から吸引するためにポート２０に結合されてもよい。
【００１８】
図２は、例示的な硝子体切除プローブ４０（以下、「プローブ」）を示す。プローブ４０は、本体４５と、本体４５から延びる針５０の形態の管状要素とを含む。図３に示されるように、網膜外科手術などの眼科外科手術中、針５０は、眼７０の強膜１００を貫く切開９０に配置されたカニューレ８０を介してなど、眼７０の後部６０に挿入して、眼組織を照らす、除去する、及び／又は吸引することができる。例えば、網膜外科手術中に、針５０を眼７０の後部６０に挿入して、１つ又は複数の光源を使用して眼７０内の手術部位を照らすことができる。いくつかの実施形態では、針５０は、硝子体液（本明細書では「硝子体」又は「硝子体材料」と交換可能に呼ばれる）１１０、すなわち、後部６０によって画定された体積を占めるゼリー状物質、を除去するカッター（例えば、機械的又はレーザ）をさらに含み得る。針５０はまた、網膜又は他の組織を覆う膜を除去するために使用されてもよい。
【００１９】
図４は、硝子体切除プローブシステム１０５の例示的な構成要素の概略図である。硝子体切除プローブシステム１０５は、硝子体切除プローブ４０、空気圧源１２０、調節可能な方向性オンオフ空気圧ドライバ１２２として示されるプローブドライバ、マフラ１２４、及びコントローラ１２６を含み得る。一実施形態では、コントローラ１２６は、並列又は順次動作を実行することができる１つ又は複数の処理コアを含むプロセッサとすることができる。或いは、コントローラ１２６は、ほんの数例を挙げると、特定用途向け集積回路（ＡＳＩＣ）などの専用ハードウェアであってもよい。空気圧源１２０、ドライバ１２２、マフラ１２４、及びプローブ４０は、流路又はフローラインを表すラインに沿って互いに流体連通している。コントローラ１２６は、ドライバ１２２と電気通信している。一実施形態では、コントローラ１２６は、ドライバ１２２及びプローブ４０の様々な態様の両方の動作を制御する。硝子体切除プローブシステム１０５はさらに、以下により詳細に記載するように、複数の光源１５０と共に動作可能な光学スイッチングシステム１３０を含むことができる。
【００２０】
簡潔にするために示されていないが、硝子体切除プローブシステム１０５は、乳化又は硝子体切除外科手術などの眼の外科手術を行うために一緒に使用される複数のサブシステムを含み得る。硝子体切除プローブシステム１０５は、ＲＡＭ（ランダムアクセスメモリ）、ＲＯＭ（読み取り専用メモリ）、フラッシュメモリ、ディスクベースのハードドライブ、及び／又はソリッドステートハードドライブなど、１種又は複数種のメモリを含み得る情報又はデータ記憶システムを含み得る。コントローラ１２６及びデータ記憶システムはバスを介して通信することができ、バスはまた、硝子体切除プローブシステム１０５の複数のサブシステムのうちの１つ又は複数との、及びそれらの間の通信を可能にし得る。
【００２１】
図５は、複数の光源１５０と共に動作可能な説明に役立つ硝子体切除プローブ４０の一部を示す図である。いくつかの実施形態によれば、硝子体切除プローブ４０は、針５０内で終端する可視化光ファイバ１５５を収容するハンドル又は本体４５に接続された複数の光源１５０を含む。可視化光ファイバ１５５は、複数の光源１５０Ａ〜Ｃのうちの１つから光を伝送することができ、それは、例えば、可視化のための内部照明、光干渉断層計（ＯＣＴ）イメージング、及び／又は、例えば様々な照明特性を使用した可視化及び診断のための生体測定を提供することができる。非限定的な一実施形態では、第１の光源１５０Ａは、コネクタ１５７を介して可視化光ファイバ１５５に接続された狭角ビームであり得、第２の光源１５０Ｂは、コネクタ１５８を介して可視化光ファイバ１５５に接続された広角ビームであり得、第３の光源１５０Ｃは、コネクタ１５９を介して可視化光ファイバ１５５に接続された着色（例えば、青色又は赤色）光であり得る。様々な実施形態において、複数の光源１５０のそれぞれは、異なる強度（例えば、異なる波長）を有し得る。本開示の範囲内でより多い又はより少ない数の光源が可能であり得ることが理解されよう。
【００２２】
コネクタ１５７、１５８、及び１５９のそれぞれは、プローブ４０の本体４５内で又はそれに達する前に単一の可視化光ファイバ１５５に光学的に結合される光ファイバであり得る。例えば、光学的結合は、自由空間オプティックス、光結合器、フューズドファイバカプラ、波長分割多重装置、時間長分割多重装置、周波数分割多重装置、又は複数の光源１５０Ａ〜Ｃのそれぞれを交替で使用する光スイッチの１つ又は複数の、又はそれらの組み合わせの使用を介して達成され得る。例示的な実施形態では、光源１５０Ａ〜Ｃのそれぞれの出力は、複数の光源１５０Ａ〜Ｃを交替で使用するＭＥＭＳ又は他の高速スイッチング若しくは変調手段を使用して切り替えることができる。ビデオ及び人間の眼のリフレッシュ速度を超えるスイッチング周波数を選択して、それぞれ異なる機能及び／又は特性を持つ複数の光源１５０Ａ〜Ｃによる同時ライティングの様相を呈することができる。
【００２３】
いくつかの実施形態では、本体４５は、硝子体切除術などの外科手術を実施するときに外科医が把持及び操作することができるハンドル部分を形成する。本体４５は、そのようなツールを形成するために一般的に使用される様々な材料から作られてもよい。例えば、本体４５は、軽量アルミニウム、ポリマー、又は他の材料で作られてもよい。様々な実施形態では、本体４５は、滅菌されて、２回以上の外科手術で使用されてもよく、又は使い捨て装置であってもよい。本体４５の内側部分は、可視化光ファイバ１５５を収容するように設計される。図示の実施形態では、複数の光源１５０は、本体４５の外側に配置される。他の実施形態では、複数の光源１５０のうちの１つ又は複数は、本体４５の内側に配置されてもよい。さらに、本体４５は、１つ又は複数のスイッチング構成要素（例えば、ＭＥＭＳ又は周波数分割多重装置）を収容することができる。他の実施形態では、スイッチング構成要素は、本体４５から離れて配置されてもよい。
【００２４】
様々な実施形態において、プローブ４０は、複数の光源１５０（例えば、ハロゲン、水銀蒸気、キセノン狭域又は広域スペクトル電球、広帯域、スーパーコンティニューム又は狭帯域レーザ、ＬＥＤ超発光ダイオード、レーザダイオード、又はその他の固体若しくは半導体発光デバイス）に接続された可視化光ファイバ１５５（例えば、シングルモード又はマルチモード光ファイバ）を含む、内部照明プローブを含む。複数の光源１５０Ａ〜Ｃのそれぞれによって提供される光は、可視化光ファイバ１５５を通って進み、対象の領域を照らす。特定の用途に応じて、可視化光ファイバ１５５の自由端又は遠位先端は、様々な方法のいずれかで終端されてもよい。例えば、可視化光ファイバ１５５の先端は、特定の照明面積及び角度を提供するために単純に研磨及び／又は角度付けされてもよい、又は例えば光を集束させるか又は発散させる目的で１つ又は複数のレンズに結合されてもよい。代替構成では、勾配インデックスを介してレンズが可視化光ファイバ１５５に組み込まれ、ここでファイバ自体の屈折率は、可視化光ファイバ１５５の長手方向軸にわたって徐々に変化し、伝播する光の収束又は発散を提供する。レンズを使用して光を分散させることにより、より小さな直径のファイバを使用して、所与の作動距離で同様の照明面積（スポットサイズ）を達成することができ、これは単一の可視化光ファイバが使用される多機能又は単機能プローブで特に有用である。
【００２５】
ここで、図６Ａ〜Ｂを参照して、本開示の実施形態によるプローブ４０（図５）の針５０をより詳細に記載する。図６Ａ〜Ｂは、本開示の様々な実施形態による２つの異なる非限定的なファイバ及びレンズ構成を示す。図６Ａに示す構成では、プローブ先端１６０は、可視化光ファイバ１５５及び処置ファイバ１６１を含む針５０を特徴とする。可視化光ファイバ１５５は、プローブ先端１６０の遠位端に内部照明光を伝搬するためのマルチモードファイバであり得る。いくつかの実施形態では、処置ファイバ１６１は、レーザビームをプローブ先端１６０から投射するための手術用レーザファイバなどの光学処置ファイバであり得る。可視化光ファイバ１５５の端部は、可視化光ファイバ１５５からのより広い分散を可能にするためにプローブ先端１６０の端部から任意選択的に引っ込められ、その結果、内部照明のためのより大きな照明スポット直径が生じる。いくつかの実施形態では、スポットサイズは、可視化光ファイバ１５５に機械的に結合されたスライドレバー１６２を使用することにより調整可能である。針５０の長手方向軸に沿ったスライドレバー１６２の移動は、可視化光ファイバ１５５の端部とプローブ先端１６０の端部との間の距離を調整し、その結果、異なる照明スポットサイズが生じる。
【００２６】
図６Ｂに示す構成は図６Ａのものと同様であるが、可視化光ファイバ１５５と処置ファイバ１６１の両方が内針１６４内に収容されていることが異なる。この例では、可視化光ファイバ１５５は、内針１６４内に固定して取り付けられており、これにより可視化光ファイバ１５５は、スライドレバー１６２が再配置されるとき、内針１６４と共に移動する。処置ファイバ１６１は、内針１６４に通すことができるが、スライドレバー１６２が動かされても動かないように、針５０に取り付けられている。
【００２７】
いくつかの実施形態では、処置ファイバ１６１は、光導波路として機能し、レーザビームを伝搬するように設計されてもよい。いくつかの例では、処置ファイバ１６１を通って伝播されるレーザビームの特性は、レーザビームがレーザビームの経路内の硝子体原線維の破壊を引き起こすようなものである。いくつかの実施形態では、レーザは、約１０〜５００キロヘルツ（ｋＨｚ）の範囲内のパルスレートを有し得る。この範囲は、レーザによる分子の急速なイオン化によって組織を破壊又は分解する組織への光の機械的効果である破壊を効果的に提供することができる。破壊をもたらす可能性のあるレーザビームの特性の他の範囲も考えられる。
【００２８】
いくつかの例では、プローブ４０は、切断された硝子体組織及び他の硝子体液を吸引するための吸引管腔を含む。吸引管腔は、切断された組織及び他の流体を引き抜くために真空力を提供する吸引機構と接続されてもよい。いくつかの例では、針５０の主管腔１６５は、図示のように、吸引管腔の一部として機能する。しかしながら、いくつかの例では、吸引管腔を備えた別個の独立したカニューレが主管腔１６５内に配置される。そのような吸引管腔は、切断された組織が適切に吸引管腔に入るように針のポートと接続される。
【００２９】
ここで図７を参照して、本開示のいくつかの実施形態による光学スイッチングシステム１３０の動作をより詳細に記載する。図示のように、光学スイッチングシステム１３０は、複数の光源１５０Ａ〜Ｃのそれぞれに結合され、可視化光ファイバ１５５に送られる出力１６８を含む。いくつかの実施形態では、光学スイッチングシステム１３０は、例えば、赤、緑、青の範囲の様々な波長、例えばカンデラで測定された様々な光度、及び／又は様々な発散、例えば狭角又は広角ビームを有する複数の構成レーザの光出力を選択的に交替で使用することによって動作する。
【００３０】
光学スイッチングシステム１３０は、時分割多重装置などの光結合器とすることができる。時分割多重化は、光通信ネットワークにおいて信号を送信及びルーティングするために使用され得る。一例では、時分割多重化は、フレーム又は時間枠を複数の等間隔のタイムスロットに分割すること、及び、より低い帯域幅の源（例えば、光源１５０Ａ〜Ｃの１つ又は複数）から、より高い帯域幅の多重化ストリームにデータの単一ビットを同期挿入することを含む。信号の回復には、高帯域幅ストリームが個々の低帯域幅の源に分割される逆多重化操作が含まれる場合がある。電子時分割多重化の本質的な単純さは、単純であり且つ複雑なプロトコルよりも簡単に実行されることを要求される処理ロジック及び装置を与える。
【００３１】
図７に示す実施形態では、時分割多重光学スイッチングシステム１３０は、対応する光スイッチ１７０Ａ〜Ｃのアレイにパルスを送信する３つの入力信号光ファイバを含むことができる。入力ファイバ上の入力パルスは、対応する各時分割多重スロットに配置することができる。いくつかの実施形態では、多重化を時間ディザリングして、光学又はデジタル表示システムを通して観察したときの照明の切り替えによる時間エイリアシング効果を回避することができる。さらに、多重化は、効率的で信頼性の高い変調及び／又は減衰手段として機能し、組織への光曝露又は光毒性損傷を低減するのに潜在的に役立つ可能性がある。
【００３２】
いくつかの実施形態では、時分割多重光学スイッチングシステム１３０は、光信号が時分割多重化されることを可能にするために、光学シャッタ１７２を含み得る。図示の例では、光学シャッタ１７２は、回転可能なホイール又はディスク、デジタル光処理（ＤＬＰ）デバイス、ＭＥＭＳデバイス、回転多角形ミラー、カスケード式チューナブル光学フィルタ又は変調器、液晶ダイオードシャッタ、及び／又は他の適切な光学シャッタであり得る。いくつかの例では、複数の光源１５０Ａ〜Ｃは、異なるタイムスロットで及び／又は異なる周波数、強度、発散、その他で光信号を伝達するように制御され得る（例えば、定期的にオン及びオフに切り替えられ得る）。
【００３３】
他の実施形態では、光学スイッチングシステム１３０は、光時分割多重装置（「ＯＴＤＭ」）であり得る。一部のＯＴＤＭには、ループ内に非対称に配置された非線形光学素子を含むファイバループが含まれている。ＯＴＤＭは、適切なタイムスロットにいるときに光パルスが通過することを可能にする光ＡＮＤゲートとして機能する。ＯＴＤＭは、最初に入力信号パルスを２つのビームに分割することによって動作する。これらのビームは、光ファイバループに結合されるが、ループの周りを反対方向に進む。光制御パルスは、非線形光学要素の屈折率を変更するようにタイミングが取られているので、逆伝播する光信号パルス間に位相差が生成される。光信号パルスがファイバループを通過すると、それらは一緒に結合される。パルスが同相である場合、建設的な干渉が発生し、パルスはＯＴＤＭから出る可能性がある。しかしながら、光パルスの位相がずれていると、破壊的な干渉が発生し、光信号は通過できない。
【００３４】
例示的な実施形態では、光学スイッチングシステム１３０は、３つの光源１５０Ａ〜Ｃからの光を、単一モードファイバを使用してプローブ４０にインターフェースするのに適した単一のファイバ結合出力１６８に組み合わせる。光学スイッチングシステム１３０は、複数の光源１５０Ａ〜Ｃのそれぞれを独立して制御して、例えば、ビデオリフレッシュ速度（例えば、１２０、２４０、又は３００フレーム／秒）及び人間の眼のリフレッシュ速度（例えば、約５０Ｈｚから９０Ｈｚ）よりも高いランダムスイッチング周波数に従って、複数の光源１５０Ａ〜Ｃのそれぞれをアクティブ化及び非アクティブ化し、同期アーチファクト又は他の機器との干渉を軽減するように構成される。
【００３５】
複数の光源の各波長の強度は、例えば、異なる治療効果を提供するため、改善された可視化を提供するため、又は組織損傷を防止するために、内部照明光出力へのそれぞれの寄与を変更するために変化されてもよい。これにより、外科医は、白色光の異なる色相の下で組織を見ることが可能になり得、これは、特定の機能を強調するのに役立つ、例えば、特定の構造（例えば血管）又はしみのコントラストを改善する、及び／又はしみを蛍光で発光させる（例えば、インドシアニングリーン又はトリプタンブルーの眼科使用）のに役立つ。寄与する波長の強度は、例えば、光化学的な網膜損傷を防ぐために、非電離放射線防護に関する国際委員会が推奨するものなどの安全ガイドラインに準拠するように調整することができる。非限定的な一実施形態では、白色光レーザ源からの青色スペクトル光を制限するために、青色寄与の強度を低下させることができる。例えば、約４７５ｎｍ未満の波長を有する光は、光毒性から保護するために、白色光レーザシステムの出力から除外されてもよい。そのような選択された波長は、白色光レーザ源又はプローブに結合された外部フィルタを用いて除外することもできる。
【００３６】
図８は、プローブを使用して患者を治療する方法２００を示す図である。示されるように、ブロック２０２において、方法２００は、複数の光源のそれぞれをプローブの単一の可視化光ファイバに接続することを含み得る。いくつかの実施形態では、複数の光源のそれぞれは、色、波長、強度、及び／又は発散などの異なる照明特性を含む。
【００３７】
ブロック２０４において、方法２００は、プローブを患者の眼に挿入することを含み得る。いくつかの実施形態では、プローブは硝子体切除プローブである。いくつかの実施形態では、プローブは、本体と、本体から延びる主管腔を有する管状要素とを有し、管状要素は、患者の眼に挿入される遠位端を含む。プローブは、主管腔内に単一の可視化光ファイバをさらに含み得る。
【００３８】
ブロック２０６において、方法２００は、単一の可視化光ファイバに接続された複数の光源の１つによって提供される照明を放出することを含むことができ、複数の光源で動作可能な光学スイッチングシステムは、複数の光源のそれぞれの間のスイッチングを可能にする。いくつかの実施形態では、方法２００は、時分割多重装置を使用して複数の光源のそれぞれの間のスイッチングを含むことができる。いくつかの実施形態では、複数の光源のそれぞれは、それぞれランダムスイッチング周波数を使用してアクティブ化又は非アクティブ化され得、ランダムスイッチング周波数は、複数の光源のうちの２つ以上の光源による知覚される同時照明を提供するために、所定のビデオリフレッシュ速度を上回る。しかしながら、使用中、単一の可視化光ファイバに照明を提供するために、複数の光源のうちの１つだけが一度にアクティブ化される。
【００３９】
本明細書の実施形態は、以下の技術的恩恵／利点のうちの１つ又は複数を提供する。第１に、複数の光源が同じ光ファイバを共有することを可能にすることにより、管状要素（例えば、針）の直径を低減させることができ、したがって、手術部位への外傷を最小限に抑えることができる。第２に、異なる手術用光源間の時分割多重化は、単一の光源のみが任意の所与の時点でオンに切り替えられ得るとしても、同じ光路を介して準同時光送達を達成し得る。第３に、ビデオ及び人間のリフレッシュ速度を超えるスイッチング周波数は、同期アーチファクト又は他の機器との干渉を軽減しながら、複数の光源による同時ライティングの様相を呈することができる。
【００４０】
いくつかの実施形態は、硝子体切除プローブと関連して使用される場合、「近位」及び「遠位」という表現を使用して記載され得る。本明細書で使用される場合、「近位」は、執刀医に最も近いプローブの端部を指し、一方、「遠位」は、患者に挿入されたプローブの端部を指す。さらに、本明細書で使用される場合、単数形「ａ」、「ａｎ」、及び「ｔｈｅ」は、文脈が別段に明確に示さない限り、複数形も含むことが意図されている。本明細書で使用される場合、「備える（“ｃｏｍｐｒｉｓｅｓ”及び／又は“ｃｏｍｐｒｉｓｉｎｇ”）」又は「含む（“ｉｎｃｌｕｄｅｓ”及び／又は“ｉｎｃｌｕｄｉｎｇ”）」という用語は、述べられた特徴、領域、ステップ、要素、及び／又は構成要素の存在を指定するが、１つ又は複数の他の特徴、領域、整数、ステップ、操作、要素、構成要素、及び／又はそれらのグループの存在も追加も排除しないことがさらに理解されるだろう。
【００４１】
特定の実施形態を本明細書に図示し記載してきたが、同じ目的を達成するために計算された任意の構成を、示された特定の実施形態の代わりに使用できることを理解されたい。本開示は、様々な実施形態のありとあらゆる適応形又は変形を網羅することを意図している。上記の記載は例示的な態様で行われたものであり、限定的なものではないことを理解されたい。上記の実施形態の組み合わせ、及び本明細書で具体的に記載されていない他の実施形態は、上記の記載を検討すると当業者に明らかになるであろう。したがって、様々な実施形態の範囲には、上記の組成物、構造、及び方法が使用される他のあらゆる用途が含まれる。
【００４２】
本主題は構造的特徴及び／又は方法論的行為に固有の言語で記載されているが、添付の特許請求の範囲で定義される主題は、必ずしも上記の特定の特徴及び行為に限定されないことを理解されたい。むしろ、上記の特定の特徴及び行為は、特許請求の範囲を実施する例示的な形態として開示されている。
【図１】
2021509611.tif 000003
【図２】
2021509611.tif 000004
【図３】
2021509611.tif 000005
【図４】
2021509611.tif 000006
【図５】
2021509611.tif 000007
【図６Ａ】
2021509611.tif 000008
【図６Ｂ】
2021509611.tif 000009
【図７】
2021509611.tif 000010
【図８】
2021509611.tif 000011
【国際調査報告】
2021509611.tif 000012
2021509611.tif 000013